(57)【特許請求の範囲】
【請求項１】
それぞれ刃部及び持手部を有する一対の鋏片が支軸周りに回動可能に組み付けられたカット用の理美容鋏であって、
一対の前記刃部の少なくとも何れか一方は、複数連設された略Ｖ字状の溝刃を具備しており、
それぞれの前記溝刃の開口幅は０．２５ｍｍ〜０．４ｍｍであり、
前記溝刃のピッチは０．４ｍｍ〜０．５ｍｍであり、
それぞれの前記溝刃の略Ｖ字を形成する二本の溝縁線のうち、刃部基端側の前記溝縁線を基端側縁線、刃部先端側の前記溝縁線を先端側縁線としたとき、前記溝刃の開口端を結ぶ仮想線と前記基端側縁線とがなす角度である基端側角は８５°〜９０°であり、前記仮想線と前記先端側縁線とがなす角度である先端側角は５０°〜７０°であり、前記先端側縁線は切断刃として機能するのに対し、前記基端側縁線は実質的に切断刃として機能しないものであり、
一対の前記刃部は、共に刃線が略円弧状に形成されており、
複数の前記溝刃は、前記先端側角が同一である
ことを特徴とする理美容鋏。
【発明の詳細な説明】
【技術分野】
【０００１】
本発明は、美容院や理髪店等で使用される理美容鋏に関するものであり、特に、カット用の理美容鋏に関するものである。
【背景技術】
【０００２】
鋏で髪をカットする際には、一対の鋏刃から加えられた力により、髪が刃部の先端方向に押されて移動する現象、いわゆる「髪が逃げる」という現象が生じる。そのため、一回の閉じ操作で切断する幅を大きくとると、髪の長さが不揃いとなる。そこで、通常、髪を一様な長さに切り揃える場合は、一回の操作で切断する幅を小さくし、鋏を激しく動かして切断位置を徐々にずらして行くことにより、髪の長さを揃えている。また、髪を濡らして髪同士を接着させ、髪を逃がしにくくしてからカットすることもある。
【０００３】
更に、髪を逃がしにくくするために、一対の刃部の一方に、Ｖ字状或いはＵ字状の溝刃を連結して並設した鋏も提案されている（例えば、特許文献１参照）。
【０００４】
【特許文献１】実開平７−３７０４２号公報
【発明の開示】
【発明が解決しようとする課題】
【０００５】
しかしながら、髪を一様な長さに切り揃えるために、一回の操作で切断する幅を小さくし、鋏の開閉を激しく繰り返す操作は、美容師等の使用者の手や腕に過大な負担を課すものであった。また、髪を接着させるために髪を濡らしてからカットする場合は、乾燥させなければ仕上がり状態が分からず、不便であった。更に、Ｖ字状或いはＵ字状の溝刃が連設された従来の鋏（特許文献１）の場合は、髪が溝刃に保持されて逃げにくい一方で、溝刃に保持された多量の髪を一度に切断するため、鋏の閉じ操作の抵抗が非常に大きいものであった。そのため、使用者の手や腕に負担がかかると共に、スムーズなカットが行えないという問題があった。
【０００６】
そこで、本発明は上記の実情に鑑み、髪を逃がしにくく、一回の操作で切断する幅を大きくしても一様な長さに髪を切り揃え易いと共に、閉じ操作の抵抗が小さく滑らかな動作で髪を切断することができる、カット用の理美容鋏の提供を課題とするものである。
【課題を解決するための手段】
【０００７】
上記の課題を解決するため、本発明にかかる理美容鋏は、「それぞれ刃部及び持手部を有する一対の鋏片が支軸周りに回動可能に組み付けられたカット用の理美容鋏であって、一対の前記刃部の少なくとも何れか一方は、複数連設された略Ｖ字状の溝刃を具備しており、それぞれの前記溝刃の開口幅は０．２５ｍｍ〜０．４ｍｍであり、前記溝刃のピッチは０．４ｍｍ〜０．５ｍｍであり、それぞれの前記溝刃の略Ｖ字を形成する二本の溝縁線のうち、刃部基端側の前記溝縁線を基端側縁線、刃部先端側の前記溝縁線を先端側縁線としたとき、前記溝刃の開口端を結ぶ仮想線と前記基端側縁線とがなす角度である基端側角は８５°〜９０°であり、前記仮想線と前記先端側縁線とがなす角度である先端側角は５０°〜７０°であり、前記先端側縁線は切断刃として機能するのに対し、前記基端側縁線は実質的に切断刃として機能しないものであり、一対の前記刃部は、共に刃線が略円弧状に形成されており、複数の前記溝刃は、前記先端側角が同一である」ものである。
【０００８】
一般に、理美容鋏は、一対の刃部のうちの一方が櫛状に形成され、髪を間引くように切断する梳き鋏（セニングシザー）と、櫛状の刃部を有さず髪を切り揃えるように切断するカット用鋏とに大別される。本発明は、後者のカット用鋏にかかるものである。
【０００９】
「溝刃」は略Ｖ字状であることから、二本の溝縁線を有する。本明細書及び特許請求の範囲では、この二本の溝縁線のうち、刃部基端側を「基端側縁線」、刃部先端側を「先端側縁線」と名称付けている。
【００１０】
「溝刃の開口幅」は、略Ｖ字状の開口が最も広くなった位置における幅を指している。ここで、平均的な人の髪の太さは、直径約０．０８ｍｍであると言われている。従って、０．２５ｍｍ〜０．４ｍｍである本発明の「開口幅」は、髪が３〜５本入る幅である。
【００１１】
「溝刃のピッチ」は、隣接する溝刃において、それぞれ対応する位置間の距離である。
【００１２】
上記の構成により、一対の刃部に挟み込まれた髪は、溝刃に入り込んで保持された状態で、鋏の閉じ操作によって切断される。これにより、鋏の閉じ操作に伴って髪が刃部先端側に押されて移動する、いわゆる「髪の逃げ」が抑制される。従って、本発明によれば、一回の操作で切断する幅を大きくしても、髪を一様な長さに切り揃え易いものとなる。そして、本発明の溝刃は髪が３〜５本入る程度の開口幅で非常に微小であり、ごく少量の髪が溝刃に保持されるため、鋏の閉じ操作に対する抵抗が極めて小さい。これにより、Ｖ字状或いはＵ字状の溝刃に保持された大量の髪を一度に切断する従来の鋏とは異なり、使用者の手や腕に負担を与えることなく、滑らかな動作で髪を切断することができる。
【００１３】
ところで、一対の刃部が交差する点は、鋏の閉じ操作に伴って刃部先端に向かって移動するため、略Ｖ字状の溝刃に保持された髪は、溝刃の先端側縁線に押圧される。従って、溝刃を形成する基端側縁線及び先端側縁線のうち、髪を切断するように作用するのは先端側縁線である。本発明では、基端側角を８０°〜９０とし、先端側角を５０°〜７０°としたことにより、基端側縁線より先端側縁線の方が、溝刃に保持された髪に対して斜めに傾いている。かかる構成により、髪の切断に寄与する先端側縁線が、斜め方向のせん断力を髪に作用させ易いものとなり、髪を切れ味良く軽快に切断することができる。
【００１４】
加えて、基端側角及び先端側角が上記の関係となっていることにより、先端側縁線の方が基端側縁線より長い。すなわち、髪の切断に寄与する先端側縁線が長く、髪の切断にほとんど寄与しない基端側縁線が短くなっている。これにより、微小な溝刃であっても、その内部の微小な空間に保持された髪を、効率良く切断することができる。
【００１６】
対象物に刃がほぼ直角に当たる場合、対象物にはほとんどせん断力が作用しない。しかしながら、もともと基端側縁線は髪の切断にほとんど寄与しないため、せん断力を作用させる必要がない。そこで、本発明では、髪の切断に寄与する先端側縁線を傾斜させ、せん断力を作用させ易い形態とする一方で、基端側角をほぼ直角とすることにより、髪の切断にほとんど寄与しない基端側縁線に切断刃として機能し得る形態を付与する無駄を排している。
【００１７】
また、基端側角がほぼ直角であることから、開口幅が同一であれば、先端側縁線がより長いものとなる。これにより、先端側縁線が髪を切断する上記の作用を、より有効に発揮させることができる。
【００１９】
「刃線」とは、一対の刃部のそれぞれにおいて、相手側の刃部と摺り合わされる側の外形に沿った線を指している。なお、溝刃が連設されている刃部においては、微小な溝刃を無視して刃部の概略形状をとらえ、その外形に沿った線を「刃線」と称している。
【００２０】
一般的に、刃線がほぼ直線状のものを「直刃」、刃線が円弧状に曲線を描くものを「笹刃」、その中間のものを「柳刃」と称している。そして、髪を直線的に切る場合は「直刃」を用い、動きや軽さを表現する髪型や、毛先のラインをぼかして柔らかさを表現する髪型にする場合など、わざと髪が逃げ易いで状態でカットする場合は「笹刃」を用いるというのが、当業者の常識である。
【００２１】
これに対し、本発明は、髪を逃がしにくくして、直線的に切断し易くすることを課題としているものであるにも関わらず、敢えて、刃線を略円弧状にしている。その理由は、以下のようである。髪が逃げようとする力は、一対の刃部によって髪が切断される位置において、一方の刃部と他方の刃部によって形成される角度「閉じ角」によって変化し、この閉じ角が大きいほど髪はより逃げ易い。従って、「直刃」の場合、閉じ角が大きい刃部基端近くでは髪はより逃げ易く、閉じ角が小さくなる刃部先端近くでは、髪は一対の刃部に挟み込まれて逃げにくい。そのため、従来では、髪を直線的に切る場合、直刃の刃部先端近くのみを使用し、鋏を激しく開閉させることによって髪を切断していたのである。仮に、直刃の場合に一回の操作で切断する幅を大きくとると、切り初めと切り終わりでは、髪の逃げ易さが大きく変化してしまう。
【００２２】
一方、刃線が円弧状の笹刃の場合は、刃部先端近くでも閉じ角が大きく髪が逃げ易い反面、鋏の開閉に伴う閉じ角の変化が小さく、ほぼ一定である。そこで、本発明では、一対の刃部の刃線を共に略円弧状とすることにより、閉じ角をほぼ一定とした上で、上記の微小な溝刃によって、髪を逃がしにくいものとしている。これにより、一対の刃部の交差点が刃部基端側から刃部先端に向かって移動する際、刃部基端側と刃部先端側とで髪の逃げにくさが同程度となるため、一回の操作で切断する幅を大きくしても、一様な長さに髪を切り揃えることがより容易なものとなっている。
【発明の効果】
【００２３】
以上のように、本発明の鋏によれば、髪を逃がしにくく、一回の操作で切断する幅を大きくしても一様な長さに髪を切り揃え易いと共に、開閉操作の抵抗が小さく滑らかな動作で髪を切断することができる、カット用の理美容鋏を提供することができる。
【発明を実施するための最良の形態】
【００２４】
以下、本発明を実施するための最良の一実施形態である鋏について、図１乃至図４に基づいて説明する。ここで、図１は本実施形態の理美容鋏の開いた状態における正面図であり、図２は図１のＡ−Ａ間及びＢ−Ｂ間における部分拡大図であり、図３は図２のＸ−Ｘ線断面図であり、図４は図１の理美容鋏における髪の切断作用を説明する説明図である。
【００２５】
本実施形態の理美容鋏１（以下、単に「鋏１」と称する）は、図１乃至図３に示すように、刃部１１及び持手部１２を有する静刃鋏片１０と、刃部２１及び持手部２２を有する動刃鋏片２０が支軸９周りに回動可能に組み付けられたカット用の鋏１であって、静刃鋏片１０の刃部１１は、複数連設された略Ｖ字状の溝刃１５を具備しており、それぞれの溝刃の開口幅Ｗは０．２５ｍｍ〜０．４ｍｍであり、溝刃１５のピッチＰは０．４ｍｍ〜０．５ｍｍであり、それぞれの溝刃１５の略Ｖ字を形成する二本の溝縁線のうち、刃部基端側の溝縁線を基端側縁線１６、刃部先端側の溝縁線を先端側縁線１７としたとき、溝刃１５の開口端を結ぶ仮想線Ｓと基端側縁線１６とがなす角度である基端側角αは８０°〜９０°であり、仮想線Ｓと先端側縁線１７とがなす角度である先端側角βは５０°〜７０°とされている。ここで、静刃鋏片１０及び動刃鋏片２０が、本発明の「一対の鋏片」に相当する。
【００２６】
より詳細に説明すると、本実施形態の溝刃１５では、基端側角αは約８０°、先端側角βは約６０°に設定されている。また、溝刃１５の開口幅Ｗは約０．３５ｍｍ、溝刃１５のピッチＰは約０．４５ｍｍである。従って、隣接する溝刃１５間には、刃線に沿って約０．１ｍｍ長さの線状刃１９が存在する。
【００２７】
更に、刃部１１，２１はそれぞれ刃線が略円弧状に形成されている。なお、一般的な理美容鋏の笹刃は、Ｒ８００と称される緩やかな円弧状であるが、本発明ではＲ４５０〜Ｒ６００と、曲率が通常より大きなものとなっている。
【００２８】
溝刃１５は刃部１１の刃部先端から刃部基端に向かって設けられており、溝刃１５が設けられている長さＬは、刃部１１の長さの２／３〜３／４である。
【００２９】
上記の構成により、本実施形態の鋏１によれば、図４（ａ）に示すように、一対の刃部１１，２１に挟み込まれた髪Ｈは、略Ｖ字状の溝刃１５に入り込んで保持される。そして、図４（ｂ）に示すように、鋏１の閉じ操作に伴い、髪Ｈが溝刃１５に保持された状態で、切断刃として機能する先端側縁線１７と動刃鋏片２０の刃部２１によって切断される。これにより、一回の操作で切断する幅を大きくしても、髪の逃げが抑制され、髪を一様な長さに切り揃えることができる。そして、本実施形態では、溝刃１５がごく微小で開口幅Ｗは髪が３本入る程度であり、溝刃１５に保持される髪の本数が少ない。これにより、鋏１の閉じ操作に対する抵抗が極めて小さく、使用者の手や腕に負担を与えることなく、滑らかな動作で髪を切断することができる。
【００３０】
加えて、溝刃１５間の線状刃１９は約０．１ｍｍであり、髪１本程度の長さである。従って、線状刃１９上を滑るように刃部先端側に押される髪は少なく、ほとんどの髪は溝刃１５に保持されて切断されるため、髪の逃げを抑制して髪を直線的に切断することができる。
【００３１】
また、基端側縁線１６より先端側縁線１７の方が、溝刃１５に保持された髪に対して斜めに傾いていることに加え、基端側縁線１６より先端側縁線１７の方が長い。これにより、髪の切断に寄与する先端側縁線１７に、髪に対する斜めのせん断力を有効に作用させ、切れ味良く髪を切断することができる。
【００３２】
更に、本実施形態では、一対の刃部１１，２１の刃線が共に曲率の大きな（曲率半径の小さい）略円弧状に形成されているため、刃部１１，２１の交差点が刃部基端側から刃部先端に向かって移動する際に閉じ角の変化が小さく、刃部基端側と刃部先端側とで髪の逃げにくさが同程度となる。これにより、一回の操作で切断する幅を大きくしても、一様な長さに髪を切り揃えることが容易なものとなっている。
【００３３】
また、美容師等の使用者は、静刃鋏片１０の刃部１１に髪を載置するようにし、動刃鋏片２０を支軸９周りに回動させて髪を切断する。従って、本実施形態では、髪を載置するように操作される刃部１１に溝刃１５が設けられていることにより、溝刃１５に髪を保持させ易く、髪を安定させて切断することができる。加えて、静刃側の刃部１１のみに溝刃１５が設けられていることにより、簡易な構成で本発明の作用効果が発揮されるものとなっている。また、仮に、動刃側の刃部２１にも溝刃が設けられている場合は、静刃側の溝刃１５と動刃側の溝刃が対向する部分に、より多くの髪が保持される。これに対し、本実施形態では、静刃側の刃部１１のみに溝刃１５が設けられているため、個々の溝刃１５に保持される髪の本数が少なく、抵抗感小さく滑らかに髪を切断することができる。
【００３４】
更に、本実施形態では、溝刃１５が設けられている長さＬは、刃部１１の長さの２／３〜３／４であり、刃部基端側には溝刃１５が設けられていない。通常、美容師等の使用者は、一対の鋏片を９０°近くまで開くように操作することはないため、刃部基端近くが髪の切断に使用されることはほとんどない。従って、本実施形態では、髪の切断にほとんど使用されない刃部基端近くには溝刃１５を形成しないことにより、鋏１の製造の手間やコストの無駄を排している。
【００３５】
上記では、基端側角αを約８０°、先端側角βを約６０°とした場合を例示したが、例えば、図５に示すように、基端側角αをほぼ直角にすることもできる。ここでは、基端側角α’は８７〜８８°であり、その他、先端側角β、開口幅Ｗ、ピッチＰは鋏１と同一である。
【００３６】
このような構成にすることにより、髪の切断に寄与する先端側縁線１７’は、鋏１の先端側縁線１７より更に長いものとなる。これにより、先端側縁線１７’が髪を切断する作用を、より有効に発揮させることができると共に、髪の切断にほとんど寄与しない基端側縁線１６’を、髪に対してせん断力を作用させ得る構成とする無駄が排された構成となっている。
【００３７】
以上、本発明について好適な実施形態を挙げて説明したが、本発明はこの実施形態に限定されるものではなく、以下に示すように、本発明の趣旨を逸脱しない範囲において、種々の改良及び設計の変更が可能である。
【００３８】
例えば、上記の実施形態では、溝刃１５と溝刃１５との間に線状刃１９が存在する場合を例示したが、これに限定されず、線状刃がほとんど存在せず、溝刃が連続的に並設されている構成とすることができる。これにより、ほぼ全ての髪が溝刃に保持された状態で切断されるため、髪の逃げをより抑制し、より容易に髪を一様な長さに直線的に切断することができる。
【図面の簡単な説明】
【００３９】
【図１】本発明の一実施形態の理美容鋏の開いた状態における正面図である。
【図２】図１のＡ−Ａ間及びＢ−Ｂ間における部分拡大図である。
【図３】図２のＸ−Ｘ線断面図である。
【図４】図１の理美容鋏における髪の切断作用を説明する説明図である。
【図５】他の実施形態について、図２に相当する部分を示す部分拡大図である。
【符号の説明】
【００４０】
１  鋏（理美容鋏）
９  支軸
１０  静刃鋏片（鋏片）
１１  静刃鋏片の刃部
１２  静刃鋏片の持手部
１５  溝刃
１６，１６’  基端側縁線（溝縁線）
１７，１７’  先端側縁線（溝縁線）
１９  線状刃
２０  動刃鋏片（鋏片）
２１  動刃鋏片の刃部
２２  動刃鋏片の持手部
α，α’  基端側角
β  先端側角
Ｗ  開口幅
Ｐ  ピッチ
Ｓ  仮想線
【図１】
0005372393.tif 000002
【図２】
0005372393.tif 000003
【図３】
0005372393.tif 000004
【図４】
0005372393.tif 000005
【図５】
0005372393.tif 000006